(57)【特許請求の範囲】
【請求項１】
上部に水石鹸の給液口と吐出管が設けられ、下部に該給液口から供給された水石鹸を貯留しておくタンクが設けられ、該タンク内の水石鹸を該吐出管に送り出すための手動式エアポンプを備えた水石鹸供給器であって、
タンク上部付近にタンクから吸い上げた水石鹸を貯留する中継室が設けられ、
該中継室内の水石鹸及び空気が該中継室内に上下方向に設けられた導管を経て前記吐出管に送り出される水石鹸供給器において、
該導管の下部に、中継室内の水石鹸及び空気を導管内に取り込むための開口を設けたことを特徴とする水石鹸供給器。
【発明の詳細な説明】
【０００１】
【発明の属する技術分野】
本発明は洗面カウンターなどに設置される水石鹸供給器（ソープディスペンサ）に係り、特に給液口を上部に備えた水石鹸供給器に関する。詳しくは、本発明は、ムース状の水石鹸を吐出させるタイプの水石鹸供給器に関する。
【０００２】
【従来の技術】
洗面カウンターに設置される水石鹸供給器として、タンク部分をカウンター内に配置し、手押し式ポンプの操作ボタン部分及び吐出管を有した水石鹸供給器上端部をカウンター上面に設けたものがある。この操作ボタンを押すことにより、吐出管から水石鹸が吐出する。
【０００３】
この水石鹸供給器として、ムース状（微細泡状）の水石鹸を吐出させるタイプのものがある。
【０００４】
第２図は従来例に係るムース状水石鹸吐出タイプの水石鹸供給器の縦断面図、第３図はその要部拡大図である。
【０００５】
この水石鹸供給器は最下部にタンク１を備え、このタンク１の上側にトレー２を介してカバーケース３及びコラム４が連結されている。コラム４の上部はカウンター５の上側に配置されており、このコラム４上部にヘッド収容部６が設けられると共に、吐出管７が接続されている。
【０００６】
このヘッド収容部６にヘッド８が上下方向摺動自在に収容されている。このヘッド８からは中空パイプ状のシャフト９が下方に延設されている。シャフト９の下端とトレー２との間にベローズ１０が設けられており、該ベローズ１０内のコイルスプリング１１によってシャフト９が上方に押圧可能とされている。
【０００７】
ヘッド８に給液口１２が設けられており、この給液口１２からタンク１内にまで至る水石鹸供給器内部（ただし、シャフト９及びベローズ１０の外側）が水石鹸の落下流路１３となっている。ヘッド８には給液口１２に被さるキャップ１２ａが設けられている。
【０００８】
トレー２の一部を凹ませ、蓋状部材たるリッド１４をこの凹み部分を覆うように密着接合することにより中継室１５が設けられている。この中継室１５内とベローズ１０内とがリッド１４の通気口１６を介して連通している。
【０００９】
中継室１５の床面部１５ａから水石鹸の吸上管１７が垂設されている。この吸上管１７の上部に、水石鹸の上方への流通のみを許容する逆止弁１８が設けられている。
【００１０】
リッド１４に、水石鹸の上方への流通を許容する逆止弁１９が設けられており、この逆止弁１９の流出側（上側）が送液管２０及び送液流路２１を介して吐出管７に連通している。吐出管７の基端部にメッシュ２２が設けられている。
【００１１】
逆止弁１９の下側には、水石鹸の導管２３が垂設されている。この導管２３の下端に水石鹸の流入口２４が設けられている。導管２３の上部側面に吸気口２５が設けられている。
【００１２】
前記シャフト９は、縦方向に空気流通孔２６が延設された管状体よりなり、この空気流通孔２６の上部は、ヘッド８の下側の落下流路１３に連通し、さらに、ヘッド８とヘッド収容部６との間の隙間やキャップ１２ａの隙間を介して大気に連通している。
【００１３】
このシャフト９の下端部には、空気流通孔２６とベローズ１０内とを仕切るようにリップ式逆止弁２７が設けられている。このリップ式逆止弁２７はＶ字形断面形状のゴム材よりなり、下端にスリット２７ａが設けられている。ベローズ１０内が負圧になると、スリット２７ａが開唇状となり、空気流通孔２６からベローズ１０内に空気が流入し、ベローズ１０内が正圧になると、スリット２７ａが閉唇状に密閉し、ベローズ１０内から空気流通孔２６への空気流出が阻止される。
【００１４】
トレー２には、中継室１５を外れた位置に透口状の落下口３０が設けられている。
【００１５】
なお、コラム４に螺着されたナット２８によって水石鹸供給器がカウンター５に固定されている。コラム４とカバーケース３とは継手ナット２９によって連結されている。
【００１６】
このように構成された水石鹸供給器において、ヘッド８を押し下げると、ベローズ１０内の空気が加圧され、逆止弁１８が閉、逆止弁１９が開となり、中継室１５内の水石鹸及び空気が導管２３、逆止弁１９、送液管２０、送液通路２１を経て吐出管７から吐出される。なお、このとき水石鹸は流入口２４から導管２３内に押し込まれる。中継室１５内の上部に溜っていた空気は、吸気口２５から導管２３内に送り込まれる。この水石鹸と空気とが送液管２０及び送液流路２１を流れる間に混ざり合い、メッシュ２２を通過するときに水石鹸と空気とが微細化され、ムース状の水石鹸が生成し、吐出管７の先端からムース状水石鹸が吐出される。
【００１７】
押し込んだヘッド８から手を離すと、スプリング１１によってシャフト９及びヘッド８が押し上げられ、ベローズ１０内が負圧となる。これにより、逆止弁１８が開、逆止弁１９が閉となり、タンク１内の水石鹸が吸上管１７及び逆止弁１８を介して中継室１５内に吸い上げられる。なお、このときリップ式逆止弁２７のスリット２７ａを通って少量の空気がベローズ１０内に流入するが、この流入空気量は吸気口２５から送り出された空気量と同量となるように逆止弁２７のゴム硬度、スリット２７ａ幅が選定されている。
【００１８】
このようにヘッド８を押すことにより、タンク１内の水石鹸を吐出管７からムース状に吐出させることができる。
【００１９】
【発明が解決しようとする課題】
上記従来の水石鹸供給器にあっては、導管２３の吸気口２５が中継室１５内の水石鹸の通常の液位よりも上方に位置しており、空気に晒されている。このため、この吸気口で水石鹸が乾固し、吸気口２５の空気の通りが悪くなるおそれがあった。
【００２０】
本発明は、このような吸気口における水石鹸の乾固が防止され、常に十分に微細に泡立ったムース状の水石鹸を吐出させることができる水石鹸供給器を提供することを目的とする。
【００２１】
【課題を解決するための手段】
本発明の水石鹸供給器は、上部に水石鹸の給液口と吐出管が設けられ、下部に該給液口から供給された水石鹸を貯留しておくタンクが設けられ、該タンク内の水石鹸を該吐出管に送り出すための手動式エアポンプを備えた水石鹸供給器であって、タンク上部付近にタンクから吸い上げた水石鹸を貯留する中継室が設けられ、該中継室内の水石鹸及び空気が該中継室内に上下方向に設けられた導管を経て前記吐出管に送り出される水石鹸供給器において、該導管の下部に、中継室内の水石鹸及び空気を導管内に取り込むための開口を設けたことを特徴とするものである。
【００２２】
かかる本発明の水石鹸供給器においても、ヘッドを押すことにより中継室内の水石鹸が導管開口から導管内に送り込まれる。中継室内の水石鹸液位が導管開口にまで下がってくると、中継室内の空気が該導管開口を通って導管内に送り込まれる。導管内に先に送り込まれた水石鹸と後から送り込まれた空気とが、送液流路内を吐出管に向って流れる間に混ざり合い、さらにメッシュを通ることによりムース状となる。
【００２３】
ヘッドから手を離すと、水石鹸がタンクから中継室内に吸い上げられ、導管開口が水石鹸中に没するようになる。
【００２４】
このように導管開口が水石鹸中に没しているため、導管開口で水石鹸が乾固することがない。このため、常に微細に泡立ったムース状水石鹸を吐出させることができる。
【００２５】
【発明の実施の形態】
第１図は本発明の実施の形態に係る水石鹸供給器の要部拡大縦断面図であり、導管２３′の構成が従来例の導管２３と相違している。
【００２６】
この導管２３′は、下部側面に開口３１を設け、上部の吸気口２５を無くしたものとなっている。その他の構成は第２，３図の従来例と同一である。
【００２７】
この水石鹸供給器においても、ヘッド８を押し下げると、ベローズ１０内の空気が加圧され、逆止弁１８が閉、逆止弁１９が開となり、中継室１５内の水石鹸が導管２３、逆止弁１９、送液管２０、送液通路２１を経て吐出管７から吐出される。この場合、まず中継室１５内の水石鹸だけが導管開口３１から導管２３′内に送り込まれる。中継室１５内の水石鹸液位が開口３１のレベルまで下がってくると、今度は空気だけが開口３１を通って導管２３′内に送り込まれる。導管２３′内に先に送り込まれた水石鹸と後から送り込まれた空気とが逆液管２０、送液流路２１を流れ、この間に水石鹸と空気とが混ざり合い、さらにメッシュ２２で細かい泡よりなるムース状となり、吐出管７から吐出される。
【００２８】
押し込んだヘッド８から手を離すと、スプリング１１によってシャフト９及びヘッド８が押し上げられ、ベローズ１０内が負圧となる。これにより、逆止弁１８が開、逆止弁１９が閉となり、タンク１内の水石鹸が吸上管１７及び逆止弁１８を介して中継室１５内に吸い上げられ、開口３１が水石鹸液中に没するようになる。なお、この時、スリット２７ａを通って少量の空気がベローズ１０内に流入する。
【００２９】
このようにヘッド８を押すことにより、タンク１内の水石鹸を吐出管７からムース状に吐出させることができる。
【００３０】
この水石鹸供給器においては、ヘッド８から手を離した待機状態にあっては、第１図の通り開口３１が中継室１５内の水石鹸液中に没しており、水石鹸の乾固による開口３１の詰まりが全く発生しない。従って、常に微細に泡立ったムース状水石鹸を吐出させることができる。
【００３１】
上記実施の形態にあっては開口３１が１個だけ図示されているが、複数個の開口３１を設けても良い。
【００３２】
【発明の効果】
以上の通り、本発明の水石鹸供給器によると、導管開口の詰まりが無く、常に十分に微細に泡立ったムース状水石鹸を吐出させることができる。
【図面の簡単な説明】
【図１】実施の形態に係る水石鹸供給器の要部縦断面図である。
【図２】従来例に係る水石鹸供給器の縦断面図である。
【図３】図２の要部拡大図である。
【符号の説明】
１  タンク
２  トレー
７  吐出管
８  ヘッド
１０  ベローズ
１１  スプリング
１２  給液口
１３  落下流路
１４  キャップ
１５  中継室
１８，１９  逆止弁
２０  送液管
２１  送液流路
２２  メッシュ
２３，２３′  導管
２５  吸気口
３１  開口
【図１】
0003653851.tif 000002
【図２】
0003653851.tif 000003
【図３】
0003653851.tif 000004